(57)【要約】【課題】電波の漏洩抑制効果の低下を防ぐことができる加熱調理器のドアを提供する。【解決手段】加熱調理器のドアは、ドア本体(６)と、ドア本体(６)の内面側に設けられ、電波の漏洩を抑制する櫛歯(９６)と、櫛歯(９６)を覆う櫛歯カバー(８)とを備え、櫛歯カバー(８)は、櫛歯(９６)を保持する櫛歯保持部(８１，８２)を有する。【選択図】図６
2014081091.tif 000002
【特許請求の範囲】
【請求項１】
ドア本体と、
上記ドア本体の内面側に設けられ、電波の漏洩を抑制する櫛歯と、
上記櫛歯を覆う櫛歯カバーと
を備え、
上記櫛歯カバーは、上記櫛歯を保持する櫛歯保持部を有することを特徴とする加熱調理器のドア。
【請求項２】
請求項１に記載の加熱調理器のドアにおいて、
上記櫛歯カバーは、上記ドア本体の内面を保護するドアカバーを兼ねることを特徴とする加熱調理器のドア。
【請求項３】
請求項１または２に記載の加熱調理器のドアにおいて、
上記櫛歯は、少なくとも一方の側部に設けられた突起を有し、
上記櫛歯保持部は、上記ドア本体に向かって延伸する延伸部であり、
上記突起が上記延伸部に嵌合することを特徴とする加熱調理器のドア。
【請求項４】
前面側に開口部を有すると共に、この開口部を通して被加熱物を収容する加熱庫と、
上記被加熱物を加熱するための電波を発生する電波発生装置と、
請求項１から３までのいずれか一項に記載され、上記開口部を開閉する加熱調理器のドアと
を備えることを特徴とする加熱調理器。
【発明の詳細な説明】
【技術分野】
【０００１】
本発明は、加熱調理器のドアに関し、また、そのドアを備えた加熱調理器に関する。
【背景技術】
【０００２】
従来、ドアとしては、加熱庫内の被加熱物を電波で加熱する加熱調理器に使用され、加熱庫の前面側の開口部を開閉するものがある(例えば特開２０１１−８５３０７号公報(特許文献１)参照)。このドアは、加熱庫内からの電波が加熱調理器の外部に漏れるのを防ぐため、複数の櫛歯を備えている。
【先行技術文献】
【特許文献】
【０００３】
【特許文献１】特開２０１１−８５３０７号公報
【発明の概要】
【発明が解決しようとする課題】
【０００４】
ところで、上記櫛歯は、通常、平板形状の金属板に抜き加工および曲げ加工を行って、その金属板の周縁部に設けられる。この場合、上記金属板の厚さを薄くすれば、抜き加工および曲げ加工が容易となるので好ましい。
【０００５】
しかしながら、上記金属板の厚さを薄くすると、例えば組立時、櫛歯が容易に変形して、櫛歯による電波の漏洩抑制効果が低下してしまう。
【０００６】
したがって、上記従来の加熱調理器のドアには、電波漏れを抑制する効果が低下している恐れがあるという問題がある。
【０００７】
なお、上記櫛歯が厚さ方向に０．１ｍｍ変形しても、電波漏れを防ぐ効果が大きく低下してしまう。
【０００８】
そこで、本発明の課題は、電波の漏洩抑制効果の低下を防ぐことができる加熱調理器のドアを提供することにある。
【０００９】
また、本発明の他の課題は、そのようなドアを備えた加熱調理器を提供することにある。
【課題を解決するための手段】
【００１０】
上記課題を解決するため、本発明の加熱調理器のドアは、
ドア本体と、
上記ドア本体の内面側に設けられ、電波の漏洩を抑制する櫛歯と、
上記櫛歯を覆う櫛歯カバーと
を備え、
上記櫛歯カバーは、上記櫛歯を保持する櫛歯保持部を有することを特徴としている。
【００１１】
上記構成によれば、上記櫛歯保持部が櫛歯を保持するので、櫛歯の変形を防ぐことができる。したがって、上記櫛歯による電波の漏洩抑制効果の低下を防ぐことができる。
【００１２】
一実施形態の加熱調理器のドアでは、
上記櫛歯カバーは、上記ドア本体の内面を保護するドアカバーを兼ねる。
【００１３】
上記実施形態によれば、上記櫛歯カバーは、ドア本体の内面を保護するドアカバーを兼ねるので、部品点数の増加を防ぐことができる。したがって、製造工程を簡単にして、量産性を高めることができる。
【００１４】
一実施形態の加熱調理器のドアでは、
上記櫛歯は、少なくとも一方の側部に設けられた突起を有し、
上記櫛歯保持部は、上記ドア本体に向かって延伸する延伸部であり、
上記突起が上記延伸部に嵌合する。
【００１５】
上記実施形態によれば、上記延伸部は、ドア本体に向かって延伸すると共に、突起が嵌合するので、櫛歯を櫛歯カバーで覆ったときに、櫛歯保持部に櫛歯を保持させることができる。すなわち、上記櫛歯保持部に櫛歯を保持させるための作業は、櫛歯をドアカバーで覆う作業で済ますことができる。
【００１６】
本発明の加熱調理器は、
前面側に開口部を有すると共に、この開口部を通して被加熱物を収容する加熱庫と、
上記被加熱物を加熱するための電波を発生する電波発生装置と、
上記開口部を開閉する本発明または一実施形態の加熱調理器のドアと
を備えることを特徴としている。
【００１７】
上記構成によれば、本発明または一実施形態の加熱調理器のドアを備えるので、安全性を高めることができ、使用時にユーザーに安心感を与えることができる。
【発明の効果】
【００１８】
本発明の加熱調理器のドアは、ドア本体と、このドア本体の内面側に設けられ、電波の漏洩を抑制する櫛歯と、この櫛歯を覆う櫛歯カバーとを備え、この櫛歯カバーは、櫛歯を保持する櫛歯保持部を有することによって、櫛歯の変形を防ぐことができるので、櫛歯による電波の漏洩抑制効果の低下を防ぐことができる。
【００１９】
本発明の加熱調理器は、本発明または一実施形態の加熱調理器のドアを備えるので、安全性を高めることができ、ユーザーに安心して使ってもらうことができる。
【図面の簡単な説明】
【００２０】
【図１】図１は本発明の一実施形態の電子レンジの模式斜視図である。
【図２】図２は上記電子レンジのドアの模式分解斜視図である
【図３】図３は上記ドアのドアパネルアッセンブリの模式断面図である。
【図４】図４は上記ドアのドアフレームの模式斜視図である。
【図５】図５は上記ドアパネルの外周縁部の拡大斜視図である。
【図６】図６は上記ドアパネルアッセンブリの外周縁部の拡大斜視図である。
【図７】図７は本発明の他の実施形態の櫛歯の模式斜視図である。
【図８】図８は本発明の他の実施形態の櫛歯の模式斜視図である。
【発明を実施するための形態】
【００２１】
以下、本発明を図示の実施形態により詳細に説明する。
【００２２】
図１は、本発明の一実施形態の電子レンジを前方の斜め上方から見た模式斜視図である。
【００２３】
上記電子レンジは、ケーシング１と、このケーシング１内に設けられ、前側に開口部２ａを有する加熱庫２と、この加熱庫２の開口部２１を開閉するドア３とを備えている。このドア３の右側方には操作パネル４を設けている。また、ケーシング１の右側壁と加熱庫２の右側壁との間には、例えば２．４５ＧＨｚのマイクロ波を発生するマグネトロン５０を設置している。なお、上記マイクロ波は電波の一例であり、マグネトロン５０は電波発生装置の一例である。
【００２４】
上記加熱庫２は、開口部２１を通して被加熱物(例えば中華まんや御飯)１００を収容する。また、加熱庫２の下方には、マグネトロン５０からのマイクロ波が導波管(図示せず)によって導かれる。そして、上記マイクロ波は、加熱庫２の下方で回転駆動される回転アンテナ(図示せず)によって攪拌されながら加熱庫２内の上方に向かって放射される。これにより、被加熱物１００を加熱庫２に対して静止させたまま均一に加熱できるようになっている。
【００２５】
上記操作パネル４は、ユーザーが加熱時間などを設定するために押す複数のボタン４０１と、ユーザーが設定した加熱時間などを表示する液晶表示部４０２とを有している。この操作パネル４の後方にはマグネトロン５０が配置されている。
【００２６】
図２は上記ドア３の模式分解斜視図である。
【００２７】
上記ドア３は、耐熱製の外側ガラス５と、金属製または樹脂製のドアフレーム６と、ドアパネルアッセンブリ７と、ドアフレーム６の内面を保護する樹脂製のドアカバー８とを備えている。なお、ドアフレーム６はドア本体の一例であり、ドアカバー８は櫛歯カバーの一例である。
【００２８】
上記外側ガラス５は、ドアフレーム６の加熱庫２側とは反対側の部分に接着材で固定される。また、外側ガラス５の周縁部は着色されて不透明となっているが、ドア３を閉じていても、ユーザーが加熱庫２内の被加熱物１００を視認できるように、外側ガラス５の中央部は透明にしている。
【００２９】
上記ドアフレーム６は、外側ガラス５で塞がれる窓６１を中央部に有する枠体である。このドアフレーム６の下端部はケーシング１の前面に上下方向に回動可能に取り付けられている。また、ドアフレーム６の上部には取っ手６２が設けられており、ユーザーは取っ手６２を握ってドアフレーム６を上下方向に回動させる。
【００３０】
上記ドアパネルアッセンブリ７は、ドアフレーム６の加熱庫２側の部分にネジ(図示せず)で固定される。
【００３１】
上記ドアカバー８はドアフレーム６の加熱庫２側の部分に取り付けられる。より詳しくは、ドアカバー８は、ドアフレーム６の内側の空間に嵌め込まれて、複数の複数の櫛歯９６(図３〜図６に示す)を覆うものである。また、ドアカバー８の平面視形状は略ロの字形状となっており、内側ガラス１０(図３に示す)がドアカバー８で覆われずに露出する。
【００３２】
図３は、上記内側ガラス１０の厚さ方向に対して平行方向な面でドアパネルアッセンブリ７を切った模式断面図である。
【００３３】
上記ドアパネルアッセンブリ７は、金属製のドアパネル９と、耐熱ガラス製の内側ガラス１０とを有している。
【００３４】
上記ドアパネル９の中央部からマイクロ波が漏洩するのを抑制するため、ドアパネル９の中央部をパンチングメタル９１にしている。このパンチングメタル９１の周縁部には、パンチングメタル９１の厚さ方向に対して傾斜する接続部９２を介して、内側平坦部９３が連なっている。この内側平坦部９３は、ドア３の閉鎖時、加熱庫２の開口部２１の周縁部に略平行となる。また、内側平坦部９３の周縁部には、パンチングメタル９１の厚さ方向に対して略平行な方向に延在する接続部９４を介して、外側平坦部９５が連なっている。この外側平坦部９５は、内側平坦部９３と略平行となっていると共に、内側平坦部９３よりもドアフレーム６側に位置している。この外側平坦部９５の外周縁部近傍には複数の櫛歯９６を立設して、ドアパネル９の外周縁部からマイクロ波が漏洩するのを抑制できるようにしている。このようなドアパネル９が平板形状の金属板に抜き加工および曲げ加工などを行って形成されている。
【００３５】
上記内側ガラス１０は、パンチングメタル９１を覆うように、ドアパネル９に接着剤で固定されている。これにより、ドア３を閉じた時、内側ガラス１０が加熱庫２の開口部２１に対向するようになっている。
【００３６】
なお、図３のＧは、櫛歯９６の先端と接続部９４との間のギャップである。このギャップＧが、ドアパネル９の外周縁部からマイクロ波が漏洩するのを抑制する効果に大きな影響を及ぼす。
【００３７】
図４は、上記ドアパネルアッセンブリ７が取り付けられたドアフレーム６を後方の斜め下方から見た模式斜視図である。
【００３８】
上記ドアフレーム６は、内側ガラス５(図２に示す)の周囲に位置する前面部６３と、この前面部６３の外周縁部に立設された周縁部６４とを有している。この周縁部６４が取り囲む領域に、ドアパネルアッセンブリ７が配置される。また、周縁部６４は、内側ガラス５の厚さ方向に対して略平行な方向に延びて、内側ガラス５の厚さ方向に垂直な方向において、複数の櫛歯９６と対向する。
【００３９】
図５は上記ドアパネル９の外周縁部の拡大斜視図である。
【００４０】
上記複数の櫛歯９６は、それぞれ、外側平坦部９５の外周縁部近傍から内側ガラス１０の厚さ方向に対して略平行な方向に延びて、接続部９４側に屈曲して、内側ガラス１０の厚さ方向に対して略垂直な方向に延びて、さらに、外側平坦部９５側に屈曲して、内側ガラス１０の厚さ方向に対して傾斜する方向に延びている。すなわち、各櫛歯９６は、内側ガラス１０の厚さ方向に対して略平行な方向に延びる基部９６１と、内側ガラス１０の厚さ方向に対して略垂直な方向に延びる連結部９６２と、内側ガラス１０の厚さ方向に対して傾斜する方向に延びる先端部９６３とを有している。この基部９６１の外側平坦部９５側の端部は、外側平坦部９５から離れるにしたがって幅が狭くなるような形状になっている。また、基部９６１の一方の側部には突起９６４を設ける一方、基部９６１の他方の側部には突起９６５を設けている。この基部９６１、連結部９６２および先端部９６３の厚さは例えば０．６ｍｍに設定される。なお、内側ガラス１０の厚さ方向は内側ガラス５の厚さ方向と同じ方向である。
【００４１】
図６は、上記ドアカバー８が取り付けられたドアパネルアッセンブリ７の外周縁部の拡大斜視図である。なお、図６では、内側ガラス１０の厚さ方向に対して平行方向な面でドアパネルアッセンブリ７およびドアカバー８を切った断面を示すと共に、ドアフレーム６およびドアパッキン１１を二点鎖線で示している。
【００４２】
上記ドアカバー８の櫛歯９６側の表面には、突起９６４を挟持する一対のリブ８１，８２を複数設けている。このリブ８１，８２のそれぞれの先端部は、外側平坦部９５側に近づくにつれて幅が狭くなる形状を有している。これにより、リブ８１とリブ８２の間の隙間はドアカバー８側よりも外側平坦部９５側が大きくなっている。なお、リブ８１，８２は、櫛歯保持部の一例、かつ、延伸部の一例である。また、図６では一対のリブ８１，８２のみ図示している。
【００４３】
また、上記ドアカバー８の外周縁部はドアフレーム６の周縁部６４の内周面に当接する。一方、ドアカバー８の内周縁部にはドアパッキン１１を取り付けている。このドアパッキン１１がドアパネル９の接続部９４の外周面に当接して、ドアカバー８の内周縁部とドアパネル９の接続部９４との間がシールされる。また、ドアパッキン１１の加熱庫２(図１に示す)側の端部は、ドア３の閉鎖時、加熱庫２の開口部２１の周縁部に当接して、ドアカバー８の内周縁部と加熱庫２の開口部２１の周縁部との間がシールされる。すなわち、ドア３(図１，図２に示す)は、加熱庫２内の水蒸気がドア３の内部に入ったり、加熱庫２の開口部２１の周縁部近傍を通って漏れ出たりするのを防ぐための構造を有している。
【００４４】
また、図示しないが、ドアカバー８の櫛歯９６側の表面には、突起９６５を挟持する一対のリブを複数設けている。この一対のリブは、リブ８１，８２と同じ形状を有し、櫛歯保持部の一例、かつ、延伸部の一例である。
【００４５】
上記構成の電子レンジによれば、ドア３を組み立てると、リブ８１，８２が突起９６４を挟持すると共に、リブが突起９６５を挟持するので、櫛歯９６をリブ８１，８２で保持できる。したがって、ドア３の組立時、櫛歯９６の基部９６１の厚さ方向の変形を防ぐことができる。すなわち、櫛歯９６の先端と接続部９４との間のギャップＧを目的値に維持できる。その結果、櫛歯９６によるマイクロ波の漏洩抑制効果の低下を防ぐことができる。
【００４６】
また、仮に、上記ドアパネルアッセンブリ７にドアカバー８を取り付ける前に、櫛歯６の基部９６１が変形していたしても、リブ８１とリブ８２の間の隙間はドアカバー８側よりも外側平坦部９５側が大きくなっているので、リブ８１，８２間の隙間に突起９６４を入れることができると共に、リブ間の隙間に突起９６５を入れることができる。その結果、リブ８１，８２に突起９６４を挟持させると共に、リブに突起９６５を挟持させて、櫛歯９６の基部９６１の変形を矯正できる。
【００４７】
また、上記ドアカバー８は、ドアフレーム６の内面を保護すると共に、櫛歯９６を覆うので、部品点数の増加を防ぐことができる。したがって、製造工程を簡単にして、量産性を高めることができる。
【００４８】
また、上記リブ８１，８２はドアカバー８の櫛歯９６側の表面に設けられているので、リブ８１，８２が露出しないようにして、美観を向上させることができる。
【００４９】
また、上記リブ８１，８２による突起９６４，９６５の挟持は、ドアパネルアッセンブリ７にドアカバー８を取り付けることで完了する。したがって、リブ８１，８２に突起９６４，９６５を挟持させるための作業は、櫛歯９６をドアカバー８で覆う作業で済ますことができる。
【００５０】
また、上記電子レンジがドア３を備えるので、安全性を高めることができ、使用時にユーザーに安心感を与えることができる。
【００５１】
上記実施形態では、例えば２．４５ＧＨｚのマイクロ波を発生するマグネトロン５０を用いていたが、例えば９１５ＭＨｚの超短波を発生する電波発生装置を用いてもよい。
【００５２】
上記実施形態において、ケーシング１内に電気ヒータを設置して、オーブン調理を行えるようにしてもよいし、あるいは、ケーシング１内に飽和水蒸気発生装置または過熱水蒸気発生装置を設置して、飽和水蒸気または過熱水蒸気で被加熱物１００を加熱できるようにしてもよい。
【００５３】
上記実施形態では、ドアカバー８の櫛歯９６側の表面に、突起９６４を挟持する一対のリブ８１，８２を設けると共に、突起９６５４を挟持する一対のリブを設けていたが、突起９６４，９６５を挟持する一対の挟持部を設けてもよい。すなわち、一対の挟持部が、１個の突起９６４と、この突起９６５に対向する１個の突起９６５とを挟持する構造を、ドアカバー８に複数設けてもよい。
【００５４】
上記実施形態では、基部９６１の一方の側部に突起９６４を設けると共に、基部９６１の他方の側部に突起９６５を設けていたが、基部９６１の一方の側部には突起９６４を設けるが、基部９６１の他方の側部には突起９６５４を設けないようにしてもよいし、あるいは、基部９６１の一方の側部には突起９６４を設けないが、基部９６１の他方の側部には突起９６５４を設けるようにしてもよい。
【００５５】
上記実施形態では、基部９６１の一方の側部に突起９６４を設けると共に、基部９６１の他方の側部に突起９６５を設けていたが、基部９６１の一方の側部に突起９６４を設けないようにすると共に、基部９６１の他方の側部にも突起９６５を設けないようにしてもよい。すなわち、本発明の他の櫛歯としては、図７に示す櫛歯１９６や、図８に示す櫛歯２９６などがある。
【００５６】
上記櫛歯１９６は、内側ガラス１０の厚さ方向に対して略平行な方向に延びる基部１９６１と、内側ガラス１０の厚さ方向に対して略垂直な方向に延びる連結部１９６２と、内側ガラス１０の厚さ方向に対して傾斜する方向に延びる先端部１９６３とを有している。この連結部１９６２には貫通穴１９６４が設けられている。このような櫛歯１９６を用いる場合、ドアカバー８の櫛歯９６側の表面に、貫通穴１９６４に挿通可能な突起部を設けてもよい。なお、上記突起部は櫛歯保持部の一例である。
【００５７】
上記櫛歯２９６は、内側ガラス１０の厚さ方向に対して略平行な方向に延びる基部２９６１と、内側ガラス１０の厚さ方向に対して略垂直な方向に延びる連結部２９６２と、内側ガラス１０の厚さ方向に対して傾斜する方向に延びる先端部２９６３とを有している。この先端部２９６３には切り欠き２９６４が設けられている。このような櫛歯２９６を用いる場合、ドアカバー８の櫛歯９６側の表面に、切り欠き２９６４に嵌合可能な突起部を設けてもよい。なお、上記突起部は櫛歯保持部の一例である。
【００５８】
本発明の具体的な実施形態について説明したが、この発明は上記実施形態に限定されるものではなく、本発明の範囲内で種々変更して実施することができる。例えば、上記実施形態と上述の変形例とを適宜組み合わせたものを、本発明の一実施形態としてもよい。
【符号の説明】
【００５９】
１  ケーシング
２  加熱庫
５  外側ガラス
６  ドアフレーム
７  ドアパネルアッセンブリ
８  ドアカバー
９  ドアパネル
１０  内側ガラス
２１  開口部
５０  マグネトロン
９６，１９６，２９６  櫛歯
９６４，９６５  突起
１９６４  貫通穴
２９６４  切り欠き
【図１】
2014081091.tif 000003
【図２】
2014081091.tif 000004
【図３】
2014081091.tif 000005
【図４】
2014081091.tif 000006
【図５】
2014081091.tif 000007
【図６】
2014081091.tif 000008
【図７】
2014081091.tif 000009
【図８】
2014081091.tif 000010